(57)【要約】【課題】顧客・機種ごとに積層フィルタの減衰ピーク周波数及び減衰量規格等の減衰特性が異なっていても、積層フィルタ内に内部電極として組み入れられた共振電極の定数を変更することなく、即ち、配線印刷スクリーンを新規作製することなく、減衰特性を容易に合わせ込むことができる積層フィルタを提供することを目的とする。【解決手段】従来の積層フィルタでは外部アース電極は内部アース電極と接続するように形成されていたが、本発明は、外部アース電極の一方、又は両方を上半部と下半部に分断するように、電極が形成されていない分断部を設けることを特徴とする。【選択図】  図１
2005167654.tif 000002
【特許請求の範囲】
【請求項１】
共振電極と内部アース電極とを内設し、対向する２側面に外部アース電極を有し、前記外部アース電極が前記内部アース電極と接続している積層フィルタにおいて、前記外部アース電極の一方、又は両方が分断部により分断されていることを特徴とする積層フィルタ。
【請求項２】
前記分断部をトリミング又は外部アース電極印刷により形成することを特徴とする積層フィルタの製造方法。
【発明の詳細な説明】
【技術分野】
【０００１】
本発明は、減衰特性を容易に調整することができる積層フィルタに関するものである。
【背景技術】
【０００２】
一般に帯域近傍に減衰ピークを有する積層フィルタは、複数のＬＣ回路から構成されている。図４は、従来の積層フィルタの斜視図、図５は同積層フィルタの分解斜視図である。この積層フィルタ(1)は第１〜第８の誘電体基板(21)〜(28)を有し、これらの誘電体基板のそれぞれを間に挟むように、誘電体基板の１つの面に所要の形状の電極が形成されている。その後、誘電体基板(21)〜(28)は一体に積層され、積層された誘電体基板の対向する２つの側面には外部アース電極(29a)(29b)が、残りの２つの側面の中央には入出力端子電極(30a)(30b)が形成されて積層フィルタ(1)が完成する。外部アース電極(29a)(29b)及び入出力端子電極(30a)(30b)のそれぞれの端部は、実装基板への取り付けやハンダ付けのために、積層フィルタ(1)の上下の面上及び側面上に所定の長さだけ延長されて形成される。
【０００３】
誘電体基板(21)〜(28)のそれぞれに形成される電極について以下に説明する。(31)は、第２の誘電体基板(22)の上面の略全面を覆い、外部アース電極(29a)(29b)とは電気的に接続するが、入出力端子電極(30a)(30b)とは電気的に接続しないように形成された第１の内部アース電極である。(32)は、第３の誘電体基板(23)の上面に周囲を残して矩形に形成された主部(32a)と、該主部を一方の入出力端子電極(30a)と電気的に接続させる接続片(32b)とを有する開放端側の第１の共振電極部である。(33)は、第４の誘電体基板(24)の上面に周囲を残して矩形に形成された主部(33a)と、該主部を他方の入出力端子電極(30b)と電気的に接続させる接続片(33b)とを有する開放端側の第２の共振電極部である。(34)は、第５の誘電体基板(25)の上面の略全面を覆い、外部アース電極(29a)(29b)とは電気的に接続するが入出力端子電極(30a)(30b)とは電気的に接続しないように形成された第２の内部アース電極である。(35)は、第６の誘電体基板(26)の上面に、一方の外部アース電極(29a)と一方の入出力端子電極(30a)との間を電気的に接続するように誘電体基板(26)の辺に沿って時計方向に形成された線状の短絡端側の第１の共振電極部である。(36)は、第７の誘電体基板(27)の上面に、他方の外部アース電極(29b)と他方の入出力端子電極(30b)との間を電気的に接続するように誘電体基板(27)の辺に沿って反時計方向に形成された線状の短絡端側の第２の共振電極部である。(37)は、第８の誘電体基板(28)の上面の略全面を覆い、外部アース電極(29a)(29b)とは電気的に接続するが、入出力端子電極(30a)(30b)とは電気的に接続しないように形成された第３の内部アース電極である。尚、第１の誘電体基板(21)の上面及び第８の誘電体基板(28)の下面には外部アース電極(29a)(29b)と入出力端子電極(30a)(30b)との延長された部分が形成される。
【０００４】
このように、積層フィルタ(1)の内部共振電極は、開放端側の第１の共振電極部(32)、開放端側の第２の共振電極部(33)、短絡端側の第１の共振電極部(35)及び短絡端側の第２の共振電極部(36)からなっている。開放端側の第１の共振電極部(32)と短絡端側の第１の共振電極部(35)とは入力側の共振電極を構成するように、又、開放端側の第２の共振電極部(33)と短絡端側の第２の共振電極部(36)とは出力側の共振電極を構成するように、入出力端子電極(30a)(30b)によって相互接続される。
（例えば特許文献１）。
【特許文献１】特開２０００−３５７９０１号公報
【発明の開示】
【発明が解決しようとする課題】
【０００５】
積層フィルタの減衰ピーク周波数及び減衰量規格等の減衰特性は、顧客・機種ごとに異なっており、顧客の求める仕様を満足する積層フィルタを得るには、積層フィルタ内に内部電極として組み入れられた共振電極の定数を変更して、減衰特性を合わせ込む必要があった。その結果、顧客・機種ごとに回路パターンが微妙に異なる配線印刷スクリーンの種類が膨大な数とならざるを得ず、配線印刷スクリーン作製のコストがかかるばかりか、配線印刷スクリーンの管理も煩雑となり、製造工程の効率化の妨げとなっていた。
【０００６】
そこで本発明は、顧客・機種ごとに積層フィルタの減衰ピーク周波数及び減衰量規格等の減衰特性が異なっていても、積層フィルタ内に内部電極として組み入れられた共振電極の定数を変更することなく、即ち、配線印刷スクリーンを新規作製することなく、減衰特性を容易に合わせ込むことができる積層フィルタを提供することを目的とする。
【課題を解決するための手段】
【０００７】
従来の積層フィルタでは外部アース電極は内部アース電極と接続するように形成されていたが、本発明は、外部アース電極の一方、又は両方を上半部と下半部に分断するように、電極が形成されていない分断部を設けることを特徴とする。外部アース電極に分断部を設けることにより、外部アース電極と内部アース電極が部分的に切断されることになる。
【発明の効果】
【０００８】
外部アース電極を分断すること、即ち外部アース電極と内部アース電極を部分的に切断することによりアース強度が弱くなり、減衰特性に関しては、減衰ピークでの減衰量はやや悪化するものの減衰ピーク周波数が高域側にシフトする。この減衰ピーク周波数シフト量は分断部の形状・位置・数等を変えることにより容易に調整することができる。従って、分断部の形状・位置・数等を適宜変更すれば、所望の減衰特性を得ることができる。本発明によれば、積層フィルタ内に内部電極として組み入れられた共振電極の定数を変更する必要がないため、顧客・機種ごとに微妙に減衰特性が異なる積層フィルタにも、既存の配線印刷スクリーンを用いることが可能となる。よって、配線印刷スクリーン作製のコストを削減できるとともに、配線印刷スクリーンの管理も容易となり製造工程の効率化を実現できる。仮に減衰ピーク周波数における減衰量が規格外にまで悪化したとしても、更に分断部の形状・位置・数等を微調整すれば容易に減衰量規格内に改善できる。
【０００９】
尚、この分断部は、例えばトリミングや外部アース電極印刷により設けることができるが、他の方法で形成しても同様の効果があることは言うまでもない。外部アース電極印刷により分断部を設ける場合、分断部の形状・位置・数等が異なるため外部アース電極用配線印刷スクリーンを既存のものとは別に作製する必要があるが、従来のように顧客・機種ごとに積層フィルタの内部電極用配線印刷スクリーンを作製することと比較して、配線印刷スクリーンの数量を大幅に減らすことができ、配線印刷スクリーン作製のコスト削減、配線印刷スクリーン管理の容易化の効果を享受できる。
【発明を実施するための最良の形態】
【００１０】
以下、本発明の実施の形態につき、図面に沿って具体的に説明する。尚、従来例と同じ部分には従来例と同じ符号を用い、詳細な説明も省略する。
【実施例１】
【００１１】
本発明に係る積層フィルタの第１の実施例の斜視図を図１（ａ）に、積層フィルタ(1)を線Ａ−Ａに沿って切断した断面図を図１（ｂ）に示す。手前側の外部アース電極にトリミングを施して分断部(40a)を設け、前記アース電極を上半部(29a1)と下半部(29a2)に分断している。第２の内部アース電極(34)と第３の内部アース電極(37)との間の接続を部分的に切断することになるため、アース強度が弱くなる。
【００１２】
尚、短絡端側の第１の共振電極(35)と外部アース電極(29a)との接続部(35a)に分断部を設けると、短絡端側の第１の共振電極(35)が外部アース電極(29a)と接続しないこととなるので、前記接続部(35a)を避けて分断部を設けなければならないのは言うまでもない。
【００１３】
図３に、分断部(40a)を設けていない従来の積層フィルタの減衰特性を実線Ｃで示し、前記従来の積層フィルタと比較して分断部(40a)を設けたことのみが異なっている本実施例の積層フィルタの減衰特性を点線Ｄで示す。従来の積層フィルタに対して本実施例の減衰特性は約２．１ＧＨｚ以下の帯域で異なるものとなっており、従来の積層フィルタの減衰ピークは、周波数が約１．６ＧＨｚで減衰量は約５７ｄＢであるが、本実施例の減衰ピークは、周波数が約１．９ＧＨｚで減衰量は約５３ｄＢとなっている。即ち、分断部(40a)を外部アース電極に設けることにより、内部電極用配線印刷スクリーンを新規に作製しなくても、減衰ピーク周波数が約１．６ＧＨｚである従来例の積層フィルタの既存の内部電極用配線印刷スクリーンを用いて、減衰ピーク周波数が１．９ＧＨｚである積層フィルタを作製することができるのである。
【実施例２】
【００１４】
本発明に係る積層フィルタの第２の実施例の斜視図を図２（ａ）に、積層フィルタ(1)を線Ｂ−Ｂに沿って切断した断面図を図２（ｂ）に示す。手前側の外部アース電極にトリミングを施して分断部(40a)を設け、前記アース電極を上半部(29a1)と下半部(29a2)に分断している。更に、奥側の外部アース電極にもトリミングを施して分断部(40b)を設け、前記アース電極を上半部(29b1)と下半部(29b2)に分断している。分断部(40a)により第２の内部アース電極(34)と第３の内部アース電極(37)との間の接続を部分的に切断するとともに、分断部(40b)により第１の内部アース電極(31)と第２の内部アース電極(34)との間の接続を部分的に切断することになるため、実施例１のように片側の外部アース電極にのみ分断部を設けた積層フィルタよりもアース強度が弱くなり、減衰ピーク周波数がより高域側にシフトする。
【００１５】
尚、本発明の実施形態を実施例により具体的に説明したが、本発明は実施例に限定されるものではなく、外部アース電極に分断部さえ設ければ、その形状、位置、数は限定されない。
【図面の簡単な説明】
【００１６】
【図１】本発明に係る積層フィルタの第１の実施例の斜視図及び断面図である。
【図２】本発明に係る積層フィルタの第２の実施例の斜視図及び断面図である。
【図３】従来及び第１の実施例の積層フィルタの減衰特性図である。
【図４】従来の積層フィルタの斜視図である。
【図５】従来の積層フィルタの分解斜視図である。
【符号の説明】
【００１７】
（１）  積層フィルタ
（２９ａ）（２９ｂ）  外部アース電極
（２９ａ１）（２９ｂ１）  外部アース電極上半部
（２９ａ２）（２９ｂ２）  外部アース電極下半部
（３１）  第１の内部アース電極  
（３４）  第２の内部アース電極  
（３７）  第３の内部アース電極  
（４０ａ）（４０ｂ）  分断部  
【図１】
2005167654.tif 000003
【図２】
2005167654.tif 000004
【図３】
2005167654.tif 000005
【図４】
2005167654.tif 000006
【図５】
2005167654.tif 000007